(57)【特許請求の範囲】
【請求項１】
無線送受信機を有する少なくとも１つの通信部と、前記通信部を監視し制御する監視制御機能部とを具える情報処理装置であって、
前記監視制御機能部は、前記１つの通信部が接続されるときまたは接続された状態にあるときに、前記１つの通信部の接続に関連する起動されたアプリケーションの種類または識別情報、または前記１つの通信部を介して前記情報処理装置と通信している別の情報処理装置の機器の種類または通信規格に応じて、前記１つの通信部の無線送受信機の送信条件を調整するものである、
情報処理装置。
【請求項２】
無線送受信機を有する少なくとも１つの通信部と、前記通信部を監視し制御する監視制御機能部とを具える情報処理装置であって、
前記監視制御機能部は、前記１つの通信部が接続された状態にあるときに、前記１つの通信部の通信状態を反復的な所定のタイミングでモニタして、前記モニタした通信状態と、前記１つの通信部の接続に関連する起動されたアプリケーションの種類または識別情報、または前記１つの通信部を介して前記情報処理装置と通信している別の情報処理装置の機器の種類または通信規格とに応じて、前記１つの通信部の無線送受信機の送信条件を調整するものである、
情報処理装置。
【請求項３】
情報処理装置用の通信監視制御プログラムを格納した記憶媒体であって；
前記情報処理装置は、無線送受信機を有する少なくとも１つの通信部と、プロセッサとを具えるものであり；
前記通信監視制御プログラムは、前記プロセッサに、
前記１つの通信部が接続されるときまたは接続された状態にあるときに、前記１つの通信部の接続に関連する起動されたアプリケーションの種類または識別情報、または前記１つの通信部を介して前記情報処理装置と通信している別の情報処理装置の機器の種類または通信規格に応じて、前記１つの通信部の無線送受信機の送信条件を調整するステップを実行させるものである、
記憶媒体。
【請求項４】
情報処理装置用の通信監視制御プログラムを格納した記憶媒体であって；
前記情報処理装置は、無線送受信機を有する少なくとも１つの通信部と、プロセッサとを具えるものであり；
前記通信監視制御プログラムは、前記プロセッサに、
前記１つの通信部が接続された状態にあるときに、前記１つの通信部の通信状態を反復的な所定のタイミングでモニタするステップと、
前記モニタした通信状態と、前記１つの通信部の接続に関連する起動されたアプリケーションの種類または識別情報、または前記情報処理装置と通信している別の情報処理装置の機器の種類または通信規格とに応じて、前記１つの通信部の無線送受信機の送信条件を調整するステップと、
を実行させるものである、
記憶媒体。
【発明の詳細な説明】
【０００１】
【発明の属する技術分野】
本発明は、無線通信機能付き情報処理装置に関し、特に、内蔵型の無線通信部を有するまたは無線通信カードがカードスロットに挿入されるタイプの例えばＰＣのような情報処理装置に関する。
【０００２】
【発明の背景】
この数年、様々な周辺機器（デバイス）と通信する無線通信機能または無線送受信（トランシーバ）機能を有するノートブック型パーソナルコンピュータ（ＰＣ）が開発されてきた。その無線通信機能によって、ＰＣとその周辺機器またはＰＤＡ等のモバイル機器の間を接続する通常の接続ケーブルが置き換えられる。ＰＣと例えばディジタルカメラ、スキャナまたはプリンタのような周辺機器との間での無線通信は、典型的には、ブルートゥース(Bluetooth)規格のような短距離無線通信規格に従って行われる。ブルートゥース規格は、エリクソン社(Ericsson)、ＩＢＭ社、インテル社(Intel)、ノキア社(Nokia)および(株)東芝が共同開発した短距離無線通信規格である。ブルートゥース規格では、ＩＳＭ（Industrial, Scientific and Medical）帯と呼ばれる２．４ＧＨｚ帯域（２．４０２〜２．４８０ＧＨｚ）が使用され、パワー・クラス１〜３（１ｍＷ、２．５ｍＷ、１００ｍＷ）が規定されており、そのクラスに応じて約１０ｍ〜約１００ｍの範囲の近距離乃至中距離通信が可能である。その規格ではＧＦＳＫ変調および周波数ホッピング方式が使用される。ＰＣおよび周辺機器は、それぞれ１つの無線送受信機を持っている。
【０００３】
一方、例えばＰＤＣ（携帯電話、Personal Digital Cellular）、ＰＨＳおよびＣＤＭＡ等の移動体通信網のようなまたは例えばＩＥＥＥ８０２．１１仕様（規格）に従う使用周波数２．４ＧＨｚ帯（２．４０〜２．４９７ＧＨｚ）のスペクトラム直接拡散方式（ＤＢＰＳＫ変調、ＤＱＰＳＫ変調）または周波数ホッピング方式（ＧＦＳＫ変調）で通信を行う無線ＬＡＮのような様々なネットワーク（無線基地局）を介して、別のＰＣまたは情報処理機器と通信する無線通信機能を有するＰＣも存在する。典型的には、そのようなネットワークとして、ビル内またはオフィス内においては高速データ伝送に適している無線ＬＡＮが使用され、屋外においては移動体通信網を介してＰＤＣ、ＰＨＳまたはＣＤＭＡモバイル・ユニットを用いてデータ伝送が行われる。通常のノートブック型ＰＣは、その内部に、上述の無線通信方式の中の１つに対応する単一の無線送受信機を無線カードの形で挿入される。
【０００４】
市坪信一氏の１９９３年３月２６日に公開された特開平５−７５４８４号公報には、移動無線通信における基地局と移動局の間での送信電力制御が記載されている。この文献の送信電力制御において、一方の局は、他方の局から送信されたＲＦ信号の受信電力を検出し、そのＲＦ信号で搬送され他方の局の送信電力値を受信および復調して、その受信電力と他方の局の送信電力値と最低受信電力値とから自局の送信電力値を計算して自局の送信機電力を制御し、その自局の送信電力値をＲＦ信号で他方の局に送信する。一方、基地局と移動局が異なる周波数で通信し、移動局が停止し、かつ送信と受信の間で伝搬損失が異なる場合には、一方の局がその受信電力に応じて他方の局に送信電力加減要求値を送信し返すフィードバック制御が行われる。しかし、この送信電力制御では、移動局が１つの無線送受信機（トランシーバ）を有するに過ぎず、既知の無線送受信機との間の既知の種々の通信状態に対しても余分な処理を行って送信条件を設定する必要があり、変化する通信状態に素早く対応できない。
【０００５】
ラファエル・ロム氏の１９９５年３月３１日に公開された特開平７−８７０９３号公報（１９９２年７月１３日に出願された米国特許出願シリアル番号９１２，５２７に対応）には、ワイヤレスＬＡＮにおける送信機電力を制御するプロトコルを実施する方法と装置が記載されている。この文献の送信機電力制御において、プロトコルの開始において、第１ノードの送信機は最初に自己の送信機輻射電力レベルをデータパケット中の特定フィールドで第２ノードの受信機に送信する。第２ノードの受信機は、その送信機輻射電力レベルを受信し、受信信号の品質を測定し、計算された提案送信機輻射電力レベルまたは受信信号品質測定値をフィードバック信号としてデータパケット中の特定フィールドで第１ノードの送信機に送信する。第１ノードの送信機は、フィードバック信号を受信し、その提案に従ってまたはその測定値から計算して自己の送信機輻射電力レベルを調節する。しかし、この送信電力制御では、既知の複数の無線送受信機の間の既知の種々の通信状態に対しても余分な処理を行って送信条件を設定する必要があり、変化する通信状態に素早く対応できない。
【０００６】
将来、室内の他のＰＣ若しくは複数の周辺機器と、またはネットワーク（移動体通信網アクセスポイント（基地局、ＡＰ）または無線ＬＡＮアクセスポイント）と無線通信するための複数の相異なる無線送受信機モジュールが、ＰＣの本体に内蔵されたりまたはカードの形で挿入されることもあり、その際、複数の無線送受信機モジュールは互いに接近して配置されるようになるだろう、と発明者は認識した。また、室内で、１つの組をなすＰＣとその周辺機器の間の無線通信と、別の組をなすＰＣとその周辺機器の間の無線通信とが接近した位置で同時に行われることもあるだろうと、発明者は認識した。さらに、そのような複数の無線送受信機モジュールは、ノートブック型ＰＣだけでなくデスクトップ型ＰＣ、ハンドヘルド型ＰＣおよびその他のＰＣまたは情報処理装置にも設けられるであろう。将来、複数の無線送受信機がＰＣの本体に内蔵されると、その送受信機は互いにより接近して配置されることになるだろうと、発明者は認識した。さらに、ブルートゥース規格に従う短距離無線送受信機を備えたスレーブ周辺機器等の情報処理装置は、マスタＰＣからそれぞれの装置に固有の相異なる距離または場所に配置され使用されるであろうと、発明者は認識した。
【０００７】
特に、例えばノートブック型ＰＣ等の小形の情報処理装置において相異なる複数の無線送受信機を設けて、同時に通信を行うと、少なくとも１つのＰＣ無線送受信機の送信機からの送信ＲＦ信号が、他のＰＣ無線送受信機の受信機によって受信されるべき別のＲＦ信号受信に実質的に干渉する（を実質的に妨害する）かもしれないという問題を生じる。ノートブック型ＰＣ等の小形の情報処理装置は小さな寸法形状（ディメンションズ）を有するので、複数の無線送受信機およびそれぞれのアンテナをその装置において可能な限り互いに離しても、チャネル間干渉を充分に減じることができないかもしれない。また、様々な機器が互いに近くに存在するので１つの機器の送信ＲＦ信号が他の機器のＲＦ信号受信に干渉するかもしれない。一方、通信の信頼性を高くするためには、機器における受信電力を規格の範囲内でできるだけより高くした方がよい。
【０００８】
本発明の主たる目的は、それぞれ無線通信機能を有する複数の情報処理装置の間で無線通信を行うときにチャネル間干渉または同一チャネル干渉を簡易な方法で回避するまたは充分低減することができる無線通信機能付き情報処理装置を実現することである。
【０００９】
【発明の概要】
発明の１つの特徴（側面）によれば、情報処理装置は、それぞれ無線送受信機を有する複数の通信部を具えている。その情報処理装置の監視制御機能部は、複数の通信部の中の少なくとも１つの通信部が接続された状態にあるときに、その複数の通信部の中の少なくとも別の１つの通信部の通信状態を反復的な所定のタイミングでモニタして、モニタした通信状態に応じてその接続された状態にある通信部の無線送受信機の送信条件を調整する。
【００１０】
発明の別の特徴によれば、情報処理装置は、それぞれ無線送受信機を有する第１と第２の通信部を具えている。その情報処理装置の監視制御機能部は、その第１の通信部が接続された状態にあるときに、その第１と第２の通信部の通信状態を反復的な所定のタイミングでモニタして、第１と第２の通信部の通信状態と、第１の通信部の接続に関連する起動されたアプリケーション、またはその情報処理装置と通信している別の情報処理装置の機器データとに応じて、第１の通信部の無線送受信機の送信条件を調整する。
【００１１】
発明のさらに別の特徴によれば、情報処理装置は、無線送受信機を有する少なくとも１つの通信部を具えている。その情報処理装置の監視制御機能部は、その１つの通信部が接続されるときまたは接続された状態にあるときに、その１つの通信部の接続に関連する起動されたアプリケーション、またはその情報処理装置と通信している別の情報処理装置の機器データに応じて、その１つの通信部の無線送受信機の送信条件を調整する。
【００１２】
発明のさらに別の特徴によれば、情報処理装置は、無線送受信機を有する少なくとも１つの通信部を具えている。その情報処理装置の監視制御機能部は、その１つの通信部が接続された状態にあるときに、その１つの通信部の通信状態を反復的な所定のタイミングでモニタして、そのモニタした通信状態と、その１つの通信部の接続に関連する起動されたアプリケーション、またはその情報処理装置と通信している別の情報処理装置の機器データとに応じて、その１つの通信部の無線送受信機の送信条件を調整する。
【００１３】
本発明のさらに別の特徴によれば、記憶媒体に格納された（記録媒体に記録された）情報処理装置用の通信監視制御プログラムは、情報処理装置の複数の通信部の中の少なくとも１つの通信部が接続された状態にあるときに、複数の通信部の中の少なくとも別の１つの通信部の通信状態を反復的な所定のタイミングでモニタするステップと、そのモニタした通信状態に応じてその接続された状態にある通信部の無線送受信機の送信条件を調整するステップと、を情報処理装置のプロセッサに実行させる。
【００１４】
本発明のさらに別の特徴によれば、記憶媒体に格納された情報処理装置用の通信監視制御プログラムは、情報処理装置の第１の通信部が接続された状態にあるときに、情報処理装置の第１と第２の通信部の通信状態を反復的な所定のタイミングでモニタするステップと、第１と第２の通信部の通信状態と、第１の通信部の接続に関連する起動されたアプリケーション、またはその情報処理装置と通信している別の情報処理装置の機器データとに応じて、第１の通信部の無線送受信機の送信条件を調整するステップと、を情報処理装置のプロセッサに実行させる。
【００１５】
本発明のさらに別の特徴によれば、記憶媒体に格納された情報処理装置用の通信監視制御プログラムは、情報処理装置の１つの通信部が接続されるときまたは接続された状態にあるときに、その１つの通信部の接続に関連する起動されたアプリケーション、またはその情報処理装置と通信している別の情報処理装置の機器データに応じて、その１つの通信部の無線送受信機の送信条件を調整するステップを情報処理装置のプロセッサに実行させる。
【００１６】
本発明のさらに別の特徴によれば、記憶媒体に格納された情報処理装置用の通信監視制御プログラムは、情報処理装置の１つの通信部が接続された状態にあるときに、その１つの通信部の通信状態を反復的な所定のタイミングでモニタするステップと、そのモニタした通信状態と、その１つの通信部の接続に関連する起動されたアプリケーション、またはその情報処理装置と通信している別の情報処理装置の機器データとに応じて、その１つの通信部の無線送受信機の送信条件を調整するステップと、を情報処理装置のプロセッサに実行させる。
【００１７】
本発明の情報処理装置および無線通信制御方法によれば、複数の無線通信機能を有する情報処理装置において、それぞれ無線通信機能を有する複数の情報処理装置の間で無線通信を行うときにＲＦ信号干渉を簡易な方法で回避するまたは充分低減することができる。
【００１８】
【発明の好ましい実施形態】
図１は、本発明の実施形態の装置および方法を適用実装（インプレメント）するそれぞれ相異なる無線通信機能を有する複数の情報処理装置の配置の外観を示している。パーソナルコンピュータ（ＰＣ）１は、複数の情報処理装置と通信するための複数の無線通信機または送受信機（トランシーバ）を、それぞれアンテナ１１１〜１１４に結合されたモジュールの形で内蔵し、またはアンテナを内蔵した無線カード１０１の形で挿入される。ＰＣ１は、例えばブルートゥース規格準拠の無線モジュールまたはカードを介して、例えば同様の無線通信機を有するディジタルカメラ（ＤＣ）５またはファクシミリ装置（ＦＡＸ）若しくはプリンタ（ＰＲ）６のような周辺機器（デバイス）、または例えば同様の無線通信機を有する電子手帳ＰＤＡ４またはＰＣ３のような情報処理機器との間で；無線ＬＡＮカードまたはモジュールを介して無線ＬＡＮアクセスポイント（ＡＰ）７との間で；または、移動体通信網移動局（モバイル・ステーション）規格準拠のＰＤＣ（携帯電話、Personal Digital Cellular）、ＰＨＳまたはＣＤＭＡモジュールまたはカードを介して移動体通信網アクセスポイント（ＡＰ）８との間で、所定の通信プロトコルに従ってデータ送受信を行う。ＰＣ１の例としてノートブック型ＰＣを図示したが、ＰＣ１はこれに限定されることなく、デスクトップ型ＰＣ、ハンドヘルド型ＰＣまたはその他の情報処理機器でもよい。また、周辺機器５および６および情報処理機器３および４も複数の無線通信機を備えていてもよい。情報処理機器１、３、４、５および６の無線通信機は、例えば、図２Ａに概略的に示したようなハードウェア構成を持っていればよい。図２Ｂは、図２Ａのベースバンド部および無線モジュールを含む無線通信部と、信号処理部（プロセッサ）とにおける通常のデータの流れを示している。
【００１９】
この実施形態において、情報処理機器１〜７にはインストール時にそれぞれの固有のアドレスが予め設定される。情報処理機器１〜７は相互無線通信のための無線通信部を有する。また、情報処理機器１、３および４は、移動体通信網アクセスポイント（ＡＰ）８と通信するための無線通信部およびそれぞれの電話番号を有していてもよい。その情報処理機器における内蔵モジュールまたはカードの形態の近距離無線通信部、無線ＬＡＮ通信部および／または移動体通信網移動局（モバイル・ステーション）通信部の無線送受信機の送信電力は、それぞれの機器の通信監視制御機能による送信機増幅器利得、減衰器減衰量（減衰度）、アンテナ利得または指向性アンテナの向き（方向性）の制御によって、調整可能である。
【００２０】
第１の実施形態において、情報処理機器の近距離無線通信部ｉは、それぞれのオフィス環境および設置場所に応じて、例えばブルートゥース規格のパワー・クラス３に従って、通信すべき他の機器即ち通信相手である他の機器（通信相手機器）の通信部ｊに対して、その最大送信出力電力１ｍＷ（通信距離約１０ｍ）に等しいまたはそれより低いそれぞれの機器無線部ｉの高送信電力Ｈi（１つ）またはＨi,j（複数）と、その高送信電力より低いそれぞれの少なくとも１つの低送信電力Ｌi,j（Ｌi,j＜Ｈi、Ｈi,j；Ｌi1、Ｌi2、…）とが設定され得る（ｉは自己機器の通信部を、ｊは通信相手機器の通信部を示す）。情報処理機器１〜６のそれぞれの送信電力ＨiまたはＨi,jおよびＬi,jは、信号処理部（プロセッサ）における例えば無線通信監視制御プログラムの送信電力設定モードにおいて、ユーザが各機器の使用環境に応じて設定できる設定値である。
【００２１】
ユーザは、例えば、ＰＣ１において設定モード画面を通して、データ送受信に利用可能なアプリケーション・プログラム名または機器データを入力し、送信電力のデフォルト値（例、最大送信電力１ｍＷ）をキーボード操作で修正して入力して、それによって、データ送受信に使用されるアプリケーション・プログラム（例えばデータ同期プログラム）または通信相手機器のタイプ若しくは通信タイプ（規格）等の機器データと、それに対応するＰＣ１通信部ｉから通信相手機器通信部ｊへの送信電力ＨiまたはＨi,jおよびＬi,jとの関係を設定すればよい。それによって、アプリケーション・プログラムまたは通信相手機器の機器データと、送信電力ＨiおよびＬi,jとの関係を示すルックアップ・テーブルが生成されるようにすればよい。また、ユーザは、周辺機器５および６および情報処理機器４の各々におけるその通信部ｉから別の機器の通信部ｊへの送信電力ＨiまたはＨi,jおよびＬi,jを、それぞれの機器をキーまたはスイッチを操作して設定してもよいし、またはインストール後にスレーブ周辺機器５および６および情報処理機器４に対して無線通信によりマスタＰＣ１において遠隔的に設定するようにしてもよい。但し、ＰＣ１はマスタ／スレーブ（複合）として機能してもよい。例えば、ＰＣ１からＰＲ６までの距離が３ｍの場合には、最も遠い通信相手機器の距離と通信の信頼性とを考慮してＰＣ１の通信部１２の高送信電力Ｈ12を１ｍＷとし、ＰＣ１通信部１２のＰＲ６の通信部６２に対する低送信電力Ｌ12,62を０．１ｍＷとし、最も遠い通信相手機器ＰＣ３の距離と通信の信頼性とを考慮してＰＲ６通信部６２の高送信電力Ｈ62を０．５ｍＷとし、ＰＲ６通信部６２（図１０のＰＲ６０内）のＰＣ１通信部１２に対する低送信電力Ｌ62,12を０．１ｍＷとしてもよい。ＰＣ１およびＰＲ６の無線通信部は、低送信電力Ｌi,jの場合と同様に、高送信電力についても通信相手機器との距離に応じて異なる高レベルＨi,jに設定できるようにしてもよい（例えば、Ｈ12,62＝Ｈ62,12＝０．５ｍＷ）。
【００２２】
その代替構成として、ユーザは、設定送信電力ＨiまたはＨi,jおよびＬi,jを直接入力する代わりに、機器通信部ｉにおいて、設定モード画面を通して機器通信部ｉから別の機器の通信部ｊまでの距離を入力し、信号処理部が、ユーザによって設定された各機器の使用環境（例えば、後述の式（１）におけるパラメータｎ）に応じてその距離から対応する送信電力ＨiまたはＨi,jおよびＬi,jを計算して生成し、アプリケーション・プログラムまたは通信相手機器の機器データと、距離と、送信電力ＨiおよびＬi,jとの関係を対応付けるルックアップ・テーブルが生成されるようにしてもよい。
【００２３】
本発明の実施形態において、ＰＣ１は、現時点での通信相手である他の機器（通信相手機器）が１つの機器、例えばＰＲ６だけである場合には、高送信電力Ｈ12またはＨ12,62で送信し、その機器ＰＲ６の通信部６２は高送信電力Ｈ62またはＨ62,12でＰＣ１に送信する。その後ＰＣ１が２つ以上の他の機器（例えば、ＰＲ６およびＡＰ７）と同時に通信する必要が生じたときに、ＰＣ１は、その１つの送信先（ＰＲ６）への送信ＲＦ信号１３Ｔ〜１７Ｔ（１６Ｔ）が別の送信元からの受信ＲＦ信号１３Ｒ〜１８Ｒのいずれか（例えば、１７Ｒ）の受信に実質的に干渉し（を実質的に妨害し）ないように、そのＰＣ１の送信電力を対応するＬ12,62に修正する。また、ＰＣ１は、他の機器ＰＲ６の送信ＲＦ信号（例えば、１６Ｒ）が、ＰＣ１の関与しない別のＲＦ信号（例えば、ＰＣ３とＤＣ５の間の通信）の受信に実質的に干渉しないように、他の機器ＰＲ６の送信電力をＬ62,12に修正させてもよい。
【００２４】
図３は、本発明の第１の実施形態の各装置の構成を例示する図である。図３には、第１の情報処理装置１０と第２の情報処理装置２０と第３の情報処理装置３０とがブロック図の形式で例示されている。第１の情報処理装置１０は、例えば図１のノートブック型パーソナルコンピュータ（ＰＣ）１であって、通信監視制御（supervisory and control）機能を含む信号処理部またはプロセッサ１１と、１つの近距離無線通信部１２と、移動体通信（ＰＤＣ）用の１つの移動局遠距離無線通信部１３とを有する。その信号処理部は、ＣＰＵ、ＲＯＭおよびＲＡＭ等で構成されるＰＣの通常の情報処理部である。第２の情報処理装置２０は、例えば、図３の別のＰＣ３、電子手帳等のＰＤＡ４または電話回線に接続されたファクシミリ装置等であってもよく、通信監視制御機能を含む信号処理部２１と少なくとも１つの近距離無線通信部２２とを有する。第３の情報処理装置３０は、例えばＰＤＣ、ＰＨＳまたはＣＤＭＡ等のアクセスポイント（例えば図１のＡＰ８）であり、多元回線無線通信部３２を有する。近距離無線通信部１２、２２は、例えばブルートゥース規格に従って例えばパワークラス３の最大出力１ｍＷで約１０ｍの距離範囲内の通信を行う内蔵型無線モジュールである。ここでは、各情報処理装置の通信監視制御機能部を、通常のＰＣ情報処理をも併せて行う信号処理部の１つの機能として構成したが、通常のＰＣ情報処理部とは別個の通信監視制御部として構成してもよい。第１の情報処理装置としてのノートブック型ＰＣ１０と、第２の情報処理装置としての電子手帳ＰＤＡ２０とについて、以下、この実施形態を説明する。
【００２５】
図４Ａ、４Ｂおよび４Ｃ、図５および図６は、本発明に従う、通信監視制御機能を含む信号処理部１１、２１および無線通信部１２および２２によって実行される、ＰＣ１０における全体の通信部の送信状態を監視し調整（適合化）する手順を説明するための、概略のブルートゥース規格の通信手順を含むフローチャートである。まず、図３および図４Ａを参照して、第１の情報処理装置であるＰＣ１０が、第２の情報処理装置であるＰＤＡ２０との通信を開始する場合について説明する。ステップ３０１において、ＰＣ１０の信号処理部１１は、データ転送のためにＰＤＡ２０との同期をとるための同期プログラム、即ち、スケジュール、ｔｏｄｏ（すべきこと、仕事）、メモ、住所、電話帳等の転送データをＰＤＡと同期させるためのプログラムを起動する。ステップ３０２において、ＰＣ信号処理部１１は、ＰＣ１０とＰＤＡ２０の間でデータ転送を行うためのその起動されたアプリケーション・プログラム（即ちデータ同期プログラム）の名称、またはそのプログラムの関係するパラメータ若しくは宛先機器アドレス等から、通信相手機器がＰＤＡであると判断できる。ステップ３０３において、ＰＣ信号処理部１１はＰＤＡ２０に対するデータ・リンク接続開始要求（コネクション・リクエスト）をＰＣ通信部１２に供給する。
【００２６】
ステップ３０４において、ＰＣ通信部１２は、信号処理部１１の接続開始要求に応答して接続要求信号を宛先機器アドレス即ちＰＤＡ２０の通信部２２へ送信する。この時のＰＣ通信部１２の送信電力は、好ましくは通信部初期状態の高レベルＨi若しくはＨi,j（以下、単にＨという）（例えば、１ｍＷ）になるように設定し、その際、通信相手機器の通信部を区別しないまたは決定できない場合は高送信電力Ｈiで送信すればよく、通信相手機器の通信部ｊが決定できる場合は高送信電力Ｈi,jに設定してもよい。その代替構成として、ＰＤＡ通信部２２に対する前回の接続終了時のレベルＨまたはＬi,j（例えば、０．１５ｍＷ）になるようにそれを設定してもよい。次いで、ステップ３０５において、その接続要求信号を受信するとＰＤＡ通信部２２は接続要求をＰＤＡ信号処理部２１に供給し、ＰＤＡ信号処理部２１は接続要求の受領に応答して接続許可をＰＤＡ通信部２２に供給し、ＰＤＡ通信部２２は接続許可信号をＰＣ通信部１２へ送信し返す。この時のＰＤＡ通信部２２の送信電力は、ＰＣ通信部１２と同様の形態でＰＤＡ自身で判断し設定してもよく、その場合にも、（または、後述するようなＰＣ監視制御機能によってＰＤＡ通信部２２の送信電力レベルを調整する場合にも、）好ましくは通信部初期状態の高レベルＨ（例えば、０．５ｍＷ）になるように設定するが、ＰＣ通信部１２に対する前回の接続終了時のレベルＨまたはＬ（例えば、０．１５ｍＷ）になるように設定してもよい。この接続許可信号の送信により、ハンドシェークに従った２つの通信部１２および２２の間のデータ・リンク接続（ＳＣＯまたはＡＣＬリンク）が確立される。ステップ３０６において、ＰＣ通信部１２は、ＰＤＡ通信部２２から接続許可信号を受信すると、ＰＣ信号処理部１１にデータ送信要求を供給する。次いで、ＰＣ信号処理部１１とＰＣ通信部１２はステップ３０７を実行する。
【００２７】
ステップ３０７および３０８はまとめて（包括的に）表したＰＣ１０とＰＤＡ２０の間のデータ送受信手順である。ステップ３０７において、ＰＣ信号処理部１１は、スケジュール、ｔｏｄｏ、メモ、住所、電話帳等の特定のデータの同期を開始する。次いで、ＰＣ通信部１２は、そのような特定のデータをＰＤＡ通信部２２へ送信するデータ送信を開始する。それに応答して、ステップ３０８において、ＰＤＡ通信部２２はそのデータの受信を開始する。但し、ステップ３０７において、ＰＣ信号処理部１１は、その特定データの送信の前に、通信相手機器２０に対してその機器のタイプ（機種、型式）（ＰＤＡ）または通信タイプ等の機器データを送信するよう要求し、ステップ３０７において、その要求に応答して、ＰＤＡ信号処理部２１は、その要求されたその機器データをＰＣ信号処理部１１にＰＤＡ通信部２２およびＰＣ通信部１２を介して送信してもよい。ステップ３０７および３０８において、ＰＣ１０とＰＤＡ２０の間のそのデータ伝送の期間に、２つの通信部１２および２２の間でブルートゥース規格に従ってエラー・コレクションを含むパケット・タイムスロット転送制御プロトコルが実行されて通信制御信号も送受信される。逆にＰＤＡ２０からＰＣ１０へ送信すべきデータがある場合には、ＰＣ信号処理部１１またはＰＤＡ信号処理部２１の要求に応答して、ＰＤＡ信号処理部２１からＰＤＡ通信部２２およびＰＣ通信部１２を介してＰＣ信号処理部１１にデータを送信することができる。
【００２８】
ステップ３０７におけるデータ送受信の期間に、ステップ３０９においてＰＣの通信状態を監視し送信条件を調整すべきタイミングかどうかが判断され、そのタイミングになると、手順（procedure）が次の通信監視および調整のためのステップ３１０へ進み、ステップ３１０を実行した後でステップ３０７に戻る。ステップ３１０へ進むタイミングは、例えば、最初はステップ３０７におけるＰＣ通信部１２によるデータ送受信の開始の後に続くタイミングとし、２回目以降は、手順が前回ステップ３１０からステップ３０７に戻った後の所定遅延時間（例えば２秒）後のタイミングとすればよい。その代替的方法として、２回目以降のタイミングは、周期的に例えば３秒の時間間隔で発生してもよく、または、ステップ３０７およびステップ３０８における伝送制御手順における所定のタイミング、例えば１つのパケット送信毎のタイミングまたは所定数のタイムスロット毎のタイミング等でもよい。
【００２９】
ステップ３１０において、ＰＣ信号処理部１１（通信監視制御機能）は、ＰＣ１０内の別の無線通信部１３のＲＦ信号の受信に干渉を与えないよう、ＰＣ１０の通信部１２および１３の通信状態を監視して必要に応じてＰＣ無線通信部１２の送信条件を調整する。ステップ３１０の詳細が図４Ｂに示されている。まず、ステップ３２０において、ＰＣ信号処理部１１（通信監視制御機能）は、ＰＣ１０内の別の通信部１３に対する接続要求が現在存在するかどうか（よって短時間内に接続確立が見込まれるかどうか）またはその通信部１３が現在接続された状態にあるか（接続中か）を判断する。その接続要求が存在するかまたはそれが接続された状態にある場合には、さらにステップ３２１において、ＰＣ信号処理部１１はＰＣ通信部１２の送信電力が高レベルＨであるかどうかを判断する。それが高レベルＨでない場合には、手順は、図４Ａのステップ３０７に戻ってデータ同期とデータ送受信を続行する。
【００３０】
図４Ｂのステップ３２１においてＰＣ通信部１２の送信電力が高レベルＨであると判断された場合には、次のステップ３２２において、信号処理部１１は、動作中のアプリケーション・プログラム（名称、パラメータまたはアドレス等）からまたは受信した若しくは記憶されている通信相手機器の機器タイプ等の機器データから、通信相手機器ＰＤＡ２０またはそのＰＤＡ通信部２２が近距離専用機かどうか（ブルートゥース規格に従うかどうか）を判断する。それが近距離専用機でない（例えば図３のＡＰ３０の移動体通信用通信部３２）場合には、手順はステップ３０７に戻る。それが近距離専用機である場合には、ステップ３２４において、ＰＣ通信部１３の受信ＲＦ信号に対する干渉作用（電波干渉）を充分減少させるために、信号処理部１１は、動作中のアプリケーション・プログラムからまたはその通信相手機器の機器データからその機器からＰＣ１０までの距離を決定し、その距離に対応する低い送信電力レベルＬ（例えば、０．１５ｍＷ）を決定する。その距離は、ユーザによって通信相手機器の通常の使用状態または配置を考慮して機器毎に予め設定されている。次いで、信号処理部１１は、データを介してまたは制御信号を介して、例えば可変減衰器減衰量、送信増幅器利得、アンテナ利得またはアンテナの向き等を調整して送信電力をＬ（例えば、０．１５ｍＷ）に低下させる。その際、信号処理部１１は、前述のようにして設定された、アプリケーション・プログラム（名称、パラメータまたはアドレス）または機器タイプ等の機器データと距離と低送信電力との関係が対応付けられているルックアップ・テーブルを参照して、動作中のアプリケーション・プログラムからまたはその通信相手機器の機器データから、対応する送信電力レベルＬi,j（例えば、０．１ｍＷ、０．１５ｍＷ、０．３ｍＷ、…）を決定すればよい。
【００３１】
一方、ステップ３２０において別のＰＣ通信部１２に対する接続要求が存在しないまたはそれが接続されていない場合は、ステップ３２５において、送信電力が低レベルＬ（またはＬ１、Ｌ２…またはＬｎ）かどうか、または高レベルＨ未満（＜Ｈ）かどうかが判断される。それが低レベルＬの場合には、ＰＣ信号処理部１１は、ＰＣ通信部１２による通信の信頼性を高める（例えばデータ・エラー・レートを低くする）ために、ステップ３２６においてＰＣ信号処理部１１はＰＣ通信部１２に送信電力を高レベルＨに戻すよう要求する。低送信電力の場合と同様に、通信相手機器に応じて高送信電力Ｈi,j（例えば、１ｍＷ、０．７ｍＷ、０．５ｍＷ）を決定してもよい。ステップ３２４の後、手順はステップ３０７に戻る。それに応答して、ＰＣ通信部１２は、例えば可変減衰器減衰量、送信増幅器利得、アンテナ利得またはアンテナの向き等を調整して送信電力を高レベルＨ（例えば、１ｍＷ）に戻す。次いで、手順はステップ３０７に戻る。ステップ３２５において送信電力が低レベルでない場合には、手順はステップ３０７に戻る。
【００３２】
通信監視制御のための図４Ａのステップ３０９およびステップ３１０（即ち図４Ｂのテップ３２０〜３２６、および後で説明する部分的代替構成の図４Ｃ）は、ステップ３０７のデータ送受信と並行して（同時に）行われても、またはそのデータ送受信の送受信手順に割込む形で行われてもよい。通信監視制御のためのステップ３０９および３１０（即ちステップ３２０〜３１６）は、ステップ３０７および３０８におけるデータ送受信終了（切断、ディスコネクション）とともに呼び出されなくなる。
【００３３】
ＰＣ信号処理部１１は図４Ｂのステップ３２０ではＰＣ１０内の別の通信部１３の接続に関する状態を判断したが、その代替構成の図４Ｃでは通信部１３の受信信号品質を判断する。この代替構成においては、ＰＣ信号処理部１１（通信監視制御機能）は、その前に図４Ａのステップ３０７の期間に、その通信部１３の送受信機の受信ＲＦ信号の状態である受信信号品質（例えば、通信部１３の受信信号のデータ・エラー・レート、または通信部１３によって送信（応答）されるＡＣＫ／ＮＡＫの発生頻度）を予め収集（モニタ）しておく。ステップ３０９の後、図４Ｃのステップ３３０において別の通信部１３が現在接続された状態にあるかどうかを判断し、それが接続されていない場合は図４Ｂのステップ３２５へと進み、一方、それが接続された状態にある場合は、さらにステップ３３１においてその受信信号品質が許容レベル以上か（許容できるか）どうかを判断する。それが許容レベル未満の（許容できない）場合には図４Ｂのステップ３２１へと進む。一方、ＰＣ通信部１３の受信信号品質が許容レベル以上の（許容できる）場合には、通信部１３へのＲＦ信号干渉が実質的にないことを意味するので、ステップ３０７に戻る。
【００３４】
次に、図５を参照して、逆にＰＤＡ２０の方からＰＣ１０との通信を開始する場合について説明する。まず、ステップ４２１において、ＰＤＡ２０の信号処理部２１はＰＣ１０に対する接続要求をＰＤＡ通信部２２に供給し、次いでＰＤＡ通信部２２は接続要求信号をＰＣ１０に送信する。ステップ４２２において、ＰＣ通信部１２はその接続要求信号を受信すると接続要求をＰＣ信号処理部１１に供給し、その接続要求の受領に応答して、ＰＣ信号処理部１１は、接続許可をＰＣ通信部１２に供給しＰＣ通信部１２を介して接続許可信号をＰＤＡ２０に送信し返す。これにより、ハンドシェークに従ったＰＤＡ２０とＰＣ１０の間の接続が確立される。ステップ４２３において、ＰＤＡ通信部２２は接続許可信号を受信すると、ＰＤＡ信号処理部２１に接続許可を供給する。ステップ４２４において、ＰＤＡ信号処理部２１は、その接続許可の受領に応答して、ＰＣ１０に対するデータ送信要求をＰＤＡ通信部２２に供給し、次いでＰＤＡ通信部２２はデータ送信要求信号をＰＣ１０に送信する。ステップ４２５において、ＰＣ通信部１２はデータ送信要求信号を受信すると、ＰＣ信号処理部１１にデータ送信要求を供給する。ステップ４２６において、ＰＣ１０の信号処理部１１は、データ送信要求の受領に応答して、前述したのと同様の形態で、データ転送のためにＰＤＡ２０と同期をとるための同期プログラムを起動する。ステップ４２７において、ＰＣ信号処理部１１は、前述したのと同様の形態で、ＰＣ１０とＰＤＡ２０の間でデータ転送を行うためのその起動されたアプリケーション・プログラムから、通信相手機器がＰＤＡであると判断してもよい。その後、ＰＣ１０およびＰＤＡ２０の手順は、図４Ａのステップ３０７〜３１０（図４Ｂのステップ３２０〜３２７または部分的に図４Ｃのステップ３３０〜３３１）を実行する。この場合、ＰＣ信号処理部１０は、上述の宛先アドレスの代わりにＰＤＡ２０からの接続要求信号の発信元アドレスを用いることができ、それによって通信相手機器を判断してもよい。
【００３５】
ＰＤＡ信号処理部２１（通信監視制御機能）はＰＣ信号処理部１１と同じ形態で自己の通信部２２の送信電力を調整してもよいが、ＰＣ１０が、ＰＤＡ２０に命令してその送信条件を調整させてもよい。次に、ＰＣ１０がＰＤＡ２０にその送信条件を調整させる場合について、図６を参照して説明する。図４Ｂのステップ３２２において通信相手機器ＰＤＡ２０またはその通信部２２が近距離専用機であると判断した場合には、ＰＣ信号処理部１１は、ステップ３２４を実行するとともに、図６のステップ５３１においてＰＤＡ２０に送信電力を低レベルＬj,iに低下させるよう通信部１２を介して要求する。ステップ５３２において、通信部２２を介したその要求の受領に応答して、ＰＤＡ信号処理部２１はＰＤＡ通信部２２の送信電力を低レベルＬj,i（例えば、０．１５ｍＷ）に低下させる。その後、手順は図４Ａのステップ３０７に戻る。また、図４Ｂのステップ３２５において送信電力が低レベルＬと判断された場合には、ステップ３２６を実行するとともに、図６のステップ５３３においてＰＤＡ２０に送信電力を高レベルＨ（例えば、０．５ｍＷ）に戻すよう通信部１２を介して要求する。ステップ５３４において、その要求に応答して、ＰＤＡ信号処理部２１はその通信部２２の送信電力を高レベルＨに上昇させる。その後、手順は図４Ａのステップ３０７に戻る。
【００３６】
上述のように、図４Ｂのステップ３２４または３２６において、ＰＣ信号処理部１１は通信部１２に対して、送信電力をそれぞれ所定レベルＬまたはＨに変化させるよう命令する。図７（Ａ）および図７（Ｂ）は、送信電力を変化させるために可変減衰器減衰量（減衰度）を調整する場合の、ＰＣ信号処理部１１、通信部１２内のベースバンド信号部６１、無線（ＲＦ）部６２、およびアンテナに結合された可変減衰器６３の間の接続関係を示している。図７（Ａ）の構成では、信号処理部１１がベースバンド信号部６１に対して、可変減衰器６３の減衰量を調整するよう命令し、ベースバンド信号部６１が制御信号６６を介して可変減衰器６３の減衰量を調整する。図７（Ｂ）の構成では、信号処理部１１が可変減衰器制御信号６７を供給して可変減衰器６３の減衰量を直接調整する。図７（Ｃ）の構成では、信号処理部１１がベースバンド信号部６１を介して、無線部６２にその送信機増幅器６４の利得を調整するよう命令し、無線部６２は制御信号６８を介してその送信機増幅器６４の利得を調整する。図７（Ｄ）の構成では、アンテナ調整用モータ６５に制御信号６９を供給して図１のアンテナ１１４の利得（長さ）を直接調整する。アンテナを長くすると利得が増大し、短くすると利得が減少する。
【００３７】
上述の実施形態では、ＲＦ信号干渉を減少させるために、送信電力を直接的に所定レベルＨまたはＬに変化させたが、信号処理部１１は、通信部１２に、データまたは制御信号を介して、通信部１２に対して、例えば、図１に示したようなほぼ水平面内で回転する水平ロッドを有するアンテナ１１２の向き（方向性）を図７（Ｄ）に示したようにモータを用いて調整させてもよい。図７（Ｄ）において、信号処理部１１がアンテナ調整制御信号６９を供給してアンテナ１１２を直接調整する。ＰＣ通信部１２の送受信機のアンテナから放射されたＲＦ信号が、既知の配置を有する同じＰＣの他のＰＣ通信部１３の送受信機のアンテナによって受信される量を減らすまたは受信されにくくなるような方向にアンテナの向き（方向）を変化させる。アンテナの指向性が予め分かっており、例えば、角度０度では利得が０ｄＢであり、角度９０度では利得が−５ｄＢであったとする。例えば、アンテナが或る方向に向いているとき、通信相手機器の通信部が受信した受信電力が−６５ｄＢｍであり、通信相手機器通信部の最小受信感度が−７０ｄＢｍであったとすると、送信側は、ＰＣ内の別の通信部に対するＲＦ信号干渉を減らす方向にそのアンテナを９０度まで回転させて送信電力を最大５ｄＢだけ低下させてもよいことになる。また、アンテナの指向性が分からない場合は、アンテナの向きを例えば１０度ステップで回転させ、通信相手機器にその送信信号の受信電力を送信（フィードバック）させて、最適および許容角度範囲を決定してもよい。
【００３８】
図８は、本発明の第２の実施形態の各装置の構成を示す図である。図８において、図３における構成要素と同様の構成要素には同じ参照番号が付されている。図８には、第１の情報処理装置１０と第２の情報処理装置４０と第３の情報処理装置５０とがブロック図の形式で示されている。第１の情報処理装置１０は、例えば図１のノートブック型ＰＣ１であって、通信監視制御機能を有する信号処理部１１と、１つの近距離無線通信部１２と、カード・タイプの１つの無線ＬＡＮ通信部１４とを有する。第２の情報処理装置４０は、例えば図１の周辺機器ディジタルカメラ（ＤＣ）５であってもよく、通信監視制御機能を有する信号処理部４１と少なくとも１つの近距離無線通信部４２とを有する。第３の情報処理装置５０は、例えば図１の無線ＬＡＮ  ＡＰ７であり、通信監視制御機能を有する信号処理部５１と多チャネル無線ＬＡＮ通信部５２とを有する。無線ＬＡＮは、例えばＩＥＥＥ８０２．１１仕様に従うスペクトラム直接拡散方式、ＤＢＰＳＫまたはＤＱＰＳＫ変調を採用しているものでもよい。
【００３９】
以下、マスタとしてのノートブック型ＰＣ１０とスレーブとしてのディジタルカメラ（ＤＣ）４０の間で通信を行う場合の例で実施形態を説明する。図９Ａは、本発明に従う、図８の信号処理部１１および４１および無線通信部１２および４２によって実行される、送信電力等の送信条件を調整する手順を説明するための概略の通信手順のフローチャートである。ＰＣ１０が、ＤＣ４０との通信を開始してＤＣ４０のディジタル画像データを取込むための手順を実行する。ステップ７０１において、ＰＣ１０の信号処理部１１は、ＤＣ４０からそのディジタル画像データをＰＣ１０に転送するためのプログラムを起動する。ステップ７０３において、ＰＣ信号処理部１１はＤＣ４０に対するデータ・リンク接続要求をＰＣ通信部１２へ供給する。ステップ７０４において、ＰＣ通信部１２は、ＰＣ信号処理部１１の接続要求に応答して接続要求信号をＤＣ４０の通信部４２に送信する。この時のＰＣ通信部１２の送信電力は、好ましくは通信部初期状態の高レベルＨ（例えば、１ｍＷ）になるように設定するが、ＤＣ通信部４２に対する前回の接続終了時のレベルＨまたはＬi,j（例えば、０．２ｍＷ）になるように設定してもよい。次いで、ステップ７０５において、その要求信号を受信すると、ＤＣ通信部４２は接続要求をＤＣ信号処理部４１に供給し、接続要求の受領に応答して、ＤＣ信号処理部４１はＤＣ通信部４２を介して接続許可信号をＰＣ通信部１２に送信し返す。これにより、２つのＰＣ通信部１２およびＤＣ通信部４２の間の接続が確立される。ステップ７０６において、ＰＣ通信部１２は、ＤＣ通信部４２から接続許可信号を受信し、ＰＣ信号処理部１１に接続許可を供給する。
【００４０】
ステップ７０７および７０８はまとめて表したＰＣ１０とＤＣ４０の間のデータ送受信手順である。ステップ７０７において、ＰＣ信号処理部１１は、接続許可の受領に応答して、ＤＣ４０に対するデータ送信要求をＰＣ通信部１２およびＤＣ通信部４２を介してＤＣ信号処理部４１に送信する。ステップ７０８において、ＤＣ信号処理部４１は、ＤＣ通信部４２を介してディジタル画像データをＰＣ１０へ送信するデータ送信を開始する。ステップ７０７において、通信部１２はその画像データの受信を開始する。但し、ステップ７０７において、ＰＣ信号処理部１１は、その画像データ送信要求の前に、ＤＣ４０に対してその機器のタイプ等の機器データを送信するよう要求してもよい。その場合、ステップ７０８において、その要求に応答して、ＤＣ４０は、その要求されたその機器データをＰＣ１０に送信する。ステップ７０８および７０７において、ＰＣ１０とＤＣ４０の間のそのデータ伝送の期間に、２つの通信部１２および４２の間でブルートゥース規格に従ってエラー・コレクションを含むパケット・タイムスロット転送制御プロトコルが実行されて通信制御信号が送受信される。
【００４１】
ステップ７０７におけるデータ送受信の期間に、ステップ７０９においてＰＣの通信状態を監視し送信条件を調整すべきタイミングかどうかが判断され、そのタイミングになると、手順が次の通信監視および送信調整のためのステップ７２０へ進み、ステップ７２１、７２４、７２５または７２６を出た後でステップ７０７に戻る。ステップ７２０へ進むそのタイミングは、図４Ａのステップ３０９からステップ３１０へ進むタイミングについて説明したのと同様である。
【００４２】
次いで、ステップ７２０およびステップ７２１において、信号処理部１１は、ＰＣ内の別の無線ＬＡＮ通信部１４のＲＦ信号の受信に干渉を与えないよう送信条件を調整するための判断を行う。まず、ステップ７２０において、ＰＣ信号処理部１１は、ＰＣ１０内の別のＰＣ通信部１４に対する接続要求が現在存在するかどうか、またはその通信部１４は現在接続された状態にあるかを判断する。その接続要求があるかまたはそれが接続された状態にある場合には、さらにステップ７２１において、ＰＣ信号処理部１１はＰＣ通信部１２の送信電力が高レベルＨであるかどうかを判断する。それが高レベルＨでない場合には、手順はステップ７０７に戻って次のデータ伝送手順を続行する。
【００４３】
ＰＣ１０は、ＤＣ４０を含めた他の各情報処理装置の機器データと、それらの通信開始時の初期の送信電力Ｈと、それれらの最小受信電力Ｌminとの関係を示すルックアップ・テーブルを予め持っている。それは、前述のルックアップ・テーブルと同様の形態で設定されればよい。ここでは、ＰＣ通信部１２からＤＣ通信部４２へおよびＤＣ通信部４２からＰＣ通信部１２への送受信条件がいずれの方向にも同じであると仮定する。ＰＣ通信部１２の送信電力が高レベルＨである場合には、ステップ７２２および７２３において、ＤＣ通信部４２から送信されたＲＦ信号のＰＣ通信部１２における受信電力強度と、ＰＣ信号処理部１１において既知の装置であるＤＣ通信部４２の既知の送信電力Ｈとから装置間の距離を決定し、ＲＦ信号干渉を減少させるためにその距離と通信相手機器の最小受信電力ＬminとからＰＣ通信部１２の送信電力Ｌを決定する。そのために、ステップ７２１において現在の送信電力が高レベルＨである場合には、ステップ７２２において、ＰＣ信号処理部１１は、ＰＣ通信部１２において検出されたＤＣ通信部４２からの受信ＲＦ信号の受信状態として受信電力強度Ｐｒを読取る。ステップ７２３において、信号処理部１１は、次の受信電力と距離の関係式（１）に従ってその受信電力強度からＤＣ４０までの距離ｄを計算し、その求めた距離ｄに対応する最適な送信電力Ｌを決定する。
【００４４】
Ｐｒ＝（Ｐｔ・Ｇｔ・Ｇｒ・λ2）／（４πｄ）n              （１）
この式を変形すると、距離ｄは次の式（２）のように表される。
【００４５】
ｄ＝（（Ｐｔ・Ｇｔ・Ｇｒ・λ2）／Ｐｒ）1/n／４π          （２）
ここで、Ｇｔは送信アンテナ利得、Ｇｒは受信アンテナ利得、λは波長、Ｐｔは通信相手機器の初期の送信電力を表し、送信電力は個々の機器によって決まっていてＰＣ１０において記憶されており、ＰＣ信号処理部１１によって起動されたアプリケーション・プログラムまたは通信相手機器アドレスによって、または受信した若しくは記憶されている通信相手機器の機器タイプ等の機器データに従って、通信相手機器の送信電力が決定できる。ｎは乗数で、自由空間ではｎ＝２であるが、オフィス環境では通常ｎ＝２〜３であり、特定のオフィス環境に応じて可変に設定される（以下ではｎ＝２と仮定する）。
【００４６】
例えばＤＣ通信部４２の最小受信電力が−６０ｄＢｍ、ＧｔおよびＧｒ＝０ｄＢｉ、λ＝０．１２５ｍ（２．４ＧＨｚ帯）とすると、距離が１０ｍの場合はＰＣ通信部１２の送信電力をＰｔ＝０ｄＢｍとする必要がある。例えば、ｄ＝３ｍの場合はＰＣ通信部１２の送信電力はＰｔ＝−１０ｄＢでよい。このようにＰＣ通信部１２の送信電力を低下させると別のＰＣ通信部１４のＲＦ信号の受信への干渉を抑制することができる。
【００４７】
上述のように受信ＲＦ信号状態として受信電力を用いる（ステップ７２２および７２３）代わりに、ＰＣ信号処理部１１は、図９Ｃのステップ７３２および７３３に示されているように、そのＰＣ通信部１２における、ＤＣ通信部４２から既知の送信電力で送信されたＲＦ信号の通信品質または受信信号品質、例えば受信データ・エラー・レート、またはＰＣ通信部１２からＤＣ４０に送信されるＡＣＫ／ＮＡＣＫまたはデータ再送要求の発生状況（例えば、頻度）、を検出し、その受信信号品質とその許容レベルとからＰＣ通信部１２における可能な低送信電力Ｌを計算してＰＣ通信部１２の送信電力をその低送信電力Ｌに低下させてもよい。
【００４８】
図９Ａに戻って説明すると、ＰＣ通信部１４に対するＲＦ信号干渉を減少させるために、ステップ７２４において、信号処理部１１は、図７を参照して説明したように、データ信号を介してまたは制御信号を介して送信電力を所定レベルＬに低下させる。通信部１２は、例えば可変減衰器減衰量、送信増幅器利得、アンテナ利得またはアンテナの向き等の送信条件を調整して送信出力電力を所定レベルＬに低下させる。ステップ７２４を出た後、手順はステップ７０７に戻る。
【００４９】
一方、ＰＣ内の別の無線通信部１４に対する接続要求が存在しないまたはそれが接続されていない場合は（ステップ７２０）、ステップ７２５および７２６において、ＰＣ信号処理部１１は、ＰＣ通信部１２による通信の信頼性を高めるために通信部１２の送信状態を判断し、必要に応じて送信条件を調整する。ステップ７２０において別のＰＣ通信部１４への接続要求信号が存在せず通信部１４が接続された状態にない場合には、ステップ７２５において、現在の送信電力が低レベルＬかどうか（またはＨ未満（＜Ｈ）かどうか）が判断される。それが低レベルＬの場合には、ステップ７２６において信号処理部１１は通信部１２に送信電力を高レベルＨに戻すよう要求する。それに応答して、通信部１２は、例えば可変減衰器減衰量、送信増幅器利得、アンテナ利得またはアンテナの向き等を調整して送信電力を高レベルＨに戻す。その後、手順はステップ７０７に戻る。ステップ７２５において、送信電力が低レベルでない場合には手順はそのままステップ７０７に戻る。
【００５０】
通信監視制御のためのステップ７０９〜７２６（および部分的代替構成の図９Ｂおよび／または９Ｃまたは９Ｄ）は、図４Ａについて説明したのと同様に、ステップ７０７のデータ送受信と並行して（同時に）行われても、またそのデータ送受信の送受信手順に割込む形で行われてもよい。通信監視制御のためのステップ７２０〜７２６は、ステップ７０７および７０８におけるデータ送受信終了とともに呼び出されなくなる。
【００５１】
図９Ａのステップ７０７において、ＰＣ信号処理部１１は、その画像データ送信要求の前に、ＰＣ通信部１２を介してＤＣ信号処理部４１に、上述の機器データの代わりにＰＣ通信部１２からの送信ＲＦ信号のＤＣ通信部４２において検出された受信状態または受信信号品質に関するデータ（例えば、受信電力または受信データ・エラー・レート）をＰＣ信号処理部１１へ送信するよう要求してもよい。その場合、ステップ７０８において、その要求に応答して、ＤＣ信号処理部４１は、その受信ＲＦ信号状態に関するデータをＤＣ通信部４２を介してＰＣ信号処理部１１に送信し返す（フィードバックする）。図９Ａのステップ７２２および７２３に代替する図９Ｄを参照すると、送信電力を下げる場合（ステップ７２１）、ＰＣ信号処理部１１は、ステップ７４２において、フィードバックされたＰＣ通信部の送信信号状態としてまたは通信相手機器の受信ＲＦ信号状態としてのＤＣ通信部４２の受信電力を読取り、ステップ７４３においてそのＤＣ通信部４２の受信電力とＰＣ通信部１２の送信電力とからＤＣ４０までの距離ｄをz前述の式（２）に従って計算し、距離ｄに対応する最適な送信電力Ｌを決定してもよい。その代替構成として、ＰＣ信号処理部１１は、ステップ７４２において、フィードバックされた受信信号品質としてのＤＣ通信部４２の受信データ・エラー・レートを読取り、ステップ７４３においてその受信データ・エラー・レートとその許容レベルとから現在のＰＣ通信部１２のＰＣ通信部１２の送信電力の可能な低下幅を計算してその送信電力をその分だけ低下させてもよい。
【００５２】
さらにその代替構成として、再び図９Ｄを参照して説明すると、ＰＣ信号処理部１１は、ステップ７４２において読出されたフィードバックされたＤＣ通信部４２の受信データ・エラー・レートが許容限度内である間は、ステップ７４３において、ＰＣ通信部１２の送信電力を徐々に低下させ、ＤＣ通信部４２の受信データ・エラー・レートが許容限度を越えて悪化した時点でＰＣ通信部１２の送信電力をその直前の送信電力Ｌに調整するようにしてもよい（破線矢印のように反復される）。また、ＰＣ信号処理部１１は、上述の受信信号品質を表すものとして、ステップ７０７におけるＤＣ通信部４２から受信したＡＣＫ／ＮＡＣＫまたはデータ再送要求の受信状況（例えば、頻度）を図９Ｄにおいて用いてもよい。
【００５３】
ＰＣ信号処理部１１は図９Ａのステップ７２０ではＰＣ１０内の別の通信部１４の接続に関する状態を判断したが、その代替構成として、図９Ｂでは通信部１４の受信信号品質を判断する。この代替構成においては、ＰＣ信号処理部１１（通信監視制御機能）は、その前に図９Ａのステップ７０７の期間に、その通信部１４の送受信機の受信ＲＦ信号の状態である受信信号品質（例えば、通信部１４の受信信号のデータ・エラー・レート、または通信部１４によって送信（応答）されるＡＣＫ／ＮＡＫの発生頻度）を予め収集（モニタ）しておく。さらにステップ７０９の後、図９Ｂに示されているように（図４Ｃの場合と同様に）、ステップ７３０において別の通信部１４が現在接続された状態にあるかどうかを判断し、それが接続された状態にない場合はステップ７２５へ進み、一方、別のＰＣ通信部１４が接続された状態にあれば、ステップ７３１においてその受信信号品質が許容レベル以上か（許容できるか）どうかを判断する。それが許容レベル未満の（許容できない）場合にはステップ７２１に進む。一方、ＰＣ通信部１４の受信信号品質が許容レベル以上の（許容できる）場合には、通信部１４へのＲＦ信号干渉が実質的にないことを意味するので、ステップ７０７に戻る。
【００５４】
図３の情報処理装置２０の信号処理部２１および無線通信部２２も、さらに、図８の情報処理装置４０の信号処理装置４１および無線通信部４２も、図４Ａのステップ３０８におけるデータ受信開始後、そのデータ送受信と並行して、図４Ａ〜４Ｃおよび図９Ａ〜９Ｄを参照して説明した情報処理装置１０の場合と同様の形態で（図４Ａのステップ３１０即ち図４Ｂのステップ３２０〜３１６または図９Ａ〜９Ｄのステップ７２０〜７２６、ステップ７３０〜７４３に従って）無線通信部２２の送信電力等の送信条件を調整し、その後ステップ３０８に戻るようにしてもよい。
【００５５】
図８における情報処理装置１０の信号処理部１１および無線ＬＡＮ通信部１４と情報処理装置５０の信号処理部５１および無線ＬＡＮ通信部５２も、図３および図８における情報処理装置１０の信号処理部１１および通信部１２と情報処理装置２０および４０の信号処理部２１および４１および通信部２２および４２と同様の形態で（図４Ａおよび図４Ｂ、および図８に従って）動作してもよい。
【００５６】
上述の図３および図８の実施形態において、情報処理機器１０、２０、４０および５０の通信部１２、１３、１４、２２、４２および５２の中の任意のものが、ブルートゥース規格に従う無線通信部であっても、無線ＬＡＮ  ＡＰ通信部であってもよい。図１０は、第１の情報処理装置１０の無線通信部１２および１５、第２の情報処理装置２０の無線通信部２２および第３の情報処理装置６０（例えば図１のＰＲ６）の無線通信部６２が全てブルートゥース規格に従い、それぞれの信号処理部１１、２１および６１によってそれぞれの通信監視制御機能を実行する場合を示している。さらに別の代替構成として、図８の実施形態における第２または第３の情報処理装置４０または５０は移動体通信網のＡＰであってもよい（その場合、対応する第１の通信部１２または１４は移動体通信用の移動局通信部となる）。
【００５７】
図３の実施形態では、接続状態がモニタされる別のＰＣ無線通信部１３を移動体通信網移動局通信部として説明したが、モニタされるＰＣ無線通信部１３は、図８の無線ＬＡＮ通信部１４であっても、図１０のブルートゥース規格に従う無線通信部１５であってもよい。また、図８の実施形態では、接続状態がモニタされる別のＰＣ無線通信部１４を無線ＬＡＮ通信部として説明したが、モニタされるＰＣ無線通信部１４は、図３の移動体通信網移動局通信部１３であっても、図１０のブルートゥース規格に従う無線通信部１５であってもよい。
【００５８】
上述の実施形態では、情報処理装置の近距離無線通信部１１、１５および２１の送信条件を調整する場合について説明したが、移動体通信網移動局および無線ＬＡＮ用の無線通信部１２および１３の送信条件も、第１の無線通信部１１の場合と同様の形態で監視制御することができる。
【００５９】
上述の説明では、送信条件を調整する無線通信部および接続状態がモニタされる別の無線通信部は、いずれも、ブルートゥース規格、無線ＬＡＮ規格または移動体通信網移動局規格のどれでもよいものとして説明したが、ＲＦ信号干渉を受けやすい方の無線通信部だけをモニタしＲＦ信号干渉を与えやすい方の無線通信部の無線送受信機の送信条件だけを調整するようにしてもよい。
【００６０】
以上説明した実施形態は典型例として挙げたに過ぎず、その変形およびバリエーションは当業者にとって明らかであり、当業者であれば本発明の原理および請求の範囲に記載した発明の範囲を逸脱することなく上述の実施形態の種々の変形を行えることは明らかである。
【００６１】
（付記１）  それぞれ無線送受信機を有する複数の通信部と、前記通信部を監視し制御する監視制御機能部とを具える情報処理装置であって、
前記監視制御機能部は、前記複数の通信部の中の少なくとも１つの通信部が接続された状態にあるときに、前記複数の通信部の中の少なくとも別の１つの通信部の通信状態を反復的な所定のタイミングでモニタして、前記モニタした通信状態に応じて前記接続された状態にある通信部の無線送受信機の送信条件を調整するものである、
情報処理装置。
（付記２）  前記監視制御機能部は、前記別の通信部に対する接続要求が存在するときまたは前記別の通信部が接続された状態にあるときに、前記接続された状態にある通信部の無線送受信機からの送信ＲＦ信号が前記別の通信部の無線送受信機のＲＦ信号受信に実質的に干渉しないように、前記接続された状態にある通信部の無線送受信機の送信電力を低レベルにするものである、付記１に記載の装置。
（付記３）  前記監視制御機能部は、前記別の通信部の無線送受信機の受信信号品質が許容レベルより低いときに、前記接続された状態にある通信部の無線送受信機からの送信ＲＦ信号が前記別の通信部の無線送受信機のＲＦ信号受信に実質的に干渉しないように、前記接続された状態にある通信部の無線送受信機の送信電力を低レベルにするものである、付記１に記載の装置。
（付記４）  前記監視制御機能部は、前記別の通信部の現在のまたは短時間内に見込まれる接続に関する状態を前記反復的な所定のタイミングでモニタするものである、付記１に記載の装置。
（付記５）  前記監視制御機能部は、前記別の通信部の送受信機の受信信号品質を前記反復的な所定のタイミングでモニタするものである、付記１に記載の装置。
（付記６）  前記監視制御機能部は、前記接続された状態にある通信部の無線送受信機の送信条件を調整するときに、前記接続された状態にある通信部を介して前記情報処理装置と通信している別の情報処理装置に、この別の情報処理装置の通信部の無線送受信機の送信条件を調整させるものである、付記１に記載の装置。
（付記７）  前記監視制御機能部はさらに前記接続された状態にある通信部の無線送受信機の受信電力をモニタし、前記接続された状態にある通信部の無線送受信機の送信条件は、さらに、前記接続された状態にある通信部の無線送受信機の受信電力と、この通信部を介してデータを転送するために起動されたアプリケーション、または前記情報処理装置と通信している別の情報処理装置の機器データとに応じて、調整されるものである、付記１に記載の装置。
（付記８）  前記監視制御機能部はさらに前記接続された状態にある通信部の無線送受信機の受信信号品質をモニタし、前記接続された状態にある通信部の無線送受信機の送信条件は、さらに、前記接続された状態にある通信部の無線送受信機の受信信号品質に応じて調整されるものである、付記１に記載の装置。
（付記９）  前記接続された状態にある通信部の無線送受信機の送信条件は、さらに、前記接続された状態にある通信部と通信している別の情報処理装置の通信部の受信ＲＦ信号状態に応じて調整されるものである、付記１に記載の装置。
（付記１０）  前記複数の通信部は内蔵されたまたは着脱可能なモジュールである、付記１に記載の装置。
（付記１１）  前記複数の通信部がブルートゥース規格、無線ＬＡＮ規格または移動体通信網移動局規格に準拠するものである、付記１に記載の装置。
（付記１２）  それぞれ無線送受信機を有する第１と第２の通信部と、前記第１と第２の通信部を監視し制御する監視制御機能部とを具える情報処理装置であって、
前記監視制御機能部は、前記第１の通信部が接続された状態にあるときに、前記第１と第２の通信部の通信状態を反復的な所定のタイミングでモニタして、前記モニタした第１と第２の通信部の通信状態と、前記第１の通信部の接続に関連する起動されたアプリケーション、または前記第１の通信部を介して前記情報処理装置と通信している別の情報処理装置の機器データとに応じて、前記第１の通信部の無線送受信機の送信条件を調整するものである、
情報処理装置。
（付記１３）  前記監視制御機能部は、前記第２の通信部に対する接続要求が存在するときまたは前記第２の通信部が接続された状態にあるときに、前記第１の通信部の無線送受信機からの送信ＲＦ信号が前記第２の通信部の無線送受信機のＲＦ信号受信に実質的に干渉しないように、前記第１の通信部の無線送受信機の送信電力を低レベルにするものである、付記１２に記載の装置。
（付記１４）  前記監視制御機能部は、前記第２の通信部の無線送受信機の受信信号品質が許容レベルより低いときに、前記第１の通信部の無線送受信機からの送信ＲＦ信号が前記第２の通信部の無線送受信機のＲＦ信号受信に実質的に干渉しないように、前記第１の通信部の無線送受信機の送信電力を低レベルにするものである、付記１２に記載の装置。
（付記１５）  前記機器データは、前記別の情報処理装置の通信部の無線送受信機から前記第１の通信部の無線送受信機にＲＦ信号で送信されて前記第１の通信部から前記監視制御機能部に供給されたものである、付記１２に記載の装置。
（付記１６）  前記監視制御機能は、前記第２の通信部が接続された状態にあるときに、前記第１と第２の通信部の通信状態を反復的な所定のタイミングでモニタして、前記第１と第２の通信部の通信状態と、前記第２の通信部の接続に関連する起動されたアプリケーション、または別の情報処理装置の機器データとに応じて、前記第２の通信部の無線送受信機の送信条件を調整するものである、付記１２に記載の装置。
（付記１７）  前記第１の通信部の通信状態が、前記第１の通信部の無線送受信機の送信電力および／または受信ＲＦ信号状態である、付記１２に記載の装置。
（付記１８）  前記第１の通信部の通信状態が、前記第１の通信部の無線送受信機からの送信信号の前記別の情報処理装置の通信部の無線送受信機における受信ＲＦ信号状態である、付記１２に記載の装置。
（付記１９）  前記監視制御機能は、前記第１の通信部の無線送受信機の送信条件を調整するときに、前記別の情報処理装置に、この別の情報処理装置の通信部の無線送受信機の送信条件を調整させるものである、付記１２に記載の装置。
（付記２０）  前記第２の通信部の無線送受信機からの送信ＲＦ信号が前記第１の通信部の無線送受信機のＲＦ信号受信に干渉するよりも、前記第１の通信部の無線送受信機からの送信ＲＦ信号の方が前記第２の通信部の無線送受信機のＲＦ信号受信により強く干渉する傾向にあるものである、付記１２に記載の装置。
（付記２１）  前記第１と第２の通信部は内蔵されたまたは着脱可能なモジュールである、付記１２に記載の装置。
（付記２２）  前記第１の通信部がブルートゥース規格または無線ＬＡＮ規格に準拠するものであり、前記第２の通信部が移動体通信網移動局規格、無線ＬＡＮ規格またはブルートゥース規格に準拠するものである、付記１２に記載の装置。
（付記２３）  無線送受信機を有する少なくとも１つの通信部と、前記通信部を監視し制御する監視制御機能部とを具える情報処理装置であって、
前記監視制御機能部は、前記１つの通信部が接続されるときまたは接続された状態にあるときに、前記１つの通信部の接続に関連する起動されたアプリケーション、または前記１つの通信部を介して前記情報処理装置と通信している別の情報処理装置の機器データに応じて、前記１つの通信部の無線送受信機の送信条件を調整するものである、
情報処理装置。
（付記２４）  前記監視制御機能部は、前記１つの通信部の無線送受信機の送信条件を調整するときに、前記別の情報処理装置に、この別の情報処理装置の通信部の無線送受信機の送信条件を調整させるものである、付記２３に記載の装置。
（付記２５）  無線送受信機を有する少なくとも１つの通信部と、前記通信部を監視し制御する監視制御機能部とを具える情報処理装置であって、
前記監視制御機能部は、前記１つの通信部が接続された状態にあるときに、前記１つの通信部の通信状態を反復的な所定のタイミングでモニタして、前記モニタした通信状態と、前記１つの通信部の接続に関連する起動されたアプリケーション、または前記１つの通信部を介して前記情報処理装置と通信している別の情報処理装置の機器データとに応じて、前記１つの通信部の無線送受信機の送信条件を調整するものである、
情報処理装置。
（付記２６）  前記１つの通信部の通信状態が、前記１つの通信部の無線送受信機の送信電力および／または受信ＲＦ信号状態である、付記２５に記載の装置。
（付記２７）  前記監視制御機能部は、前記１つの通信部の無線送受信機の送信条件を調整するときに、前記別の情報処理装置に、この別の情報処理装置の通信部の無線送受信機の送信条件を調整させるものである、付記２５に記載の装置。
（付記２８）  前記１つの通信部の通信状態が、前記１つの通信部の無線送受信機からの送信信号の前記別の情報処理装置の通信部の無線送受信機における受信ＲＦ信号状態である、付記２５に記載の装置。
（付記２９）  前記機器データは、前記別の情報処理装置の通信部の無線送受信機から前記１つの通信部の無線送受信機にＲＦ信号で送信されて前記１つの通信部から前記監視制御機能に供給されたものである、付記２５に記載の装置。
（付記３０）  前記通信部がブルートゥース規格または無線ＬＡＮ規格に準拠するものでる、付記２５に記載の装置。
（付記３１）  前記通信部が内蔵されたまたは着脱可能なモジュールである、付記２５に記載の装置。
（付記３２）  前記送信条件が送信電力、送信増幅利得、減衰器減衰量、アンテナ利得またはアンテナの向きである、付記２５に記載の装置。
（付記３３）  記憶媒体に格納された情報処理装置用の通信監視制御プログラムであって；前記情報処理装置は、それぞれ無線送受信機を有する複数の通信部と、プロセッサとを具えるものであり；
前記プロセッサに、
前記複数の通信部の中の少なくとも１つの通信部が接続された状態にあるときに、前記複数の通信部の中の少なくとも別の１つの通信部の通信状態を反復的な所定のタイミングでモニタするステップと、
前記モニタした通信状態に応じて前記接続された状態にある通信部の無線送受信機の送信条件を調整するステップと、
を実行させる、プログラム。
（付記３４）  前記調整するステップは、前記別の通信部に対する接続要求が存在するときまたは前記別の通信部が接続された状態にあるときに、前記接続された状態にある通信部の無線送受信機からの送信ＲＦ信号が前記別の通信部の無線送受信機のＲＦ信号受信に実質的に干渉しないように、前記接続された状態にある通信部の無線送受信機の送信電力を低レベルにすることを含むものである、付記３３に記載のプログラム。
（付記３５）  前記調整するステップは、前記別の通信部の無線送受信機の受信信号品質が許容レベルより低いときに、前記接続された状態にある通信部の無線送受信機からの送信ＲＦ信号が前記別の通信部の無線送受信機のＲＦ信号受信に実質的に干渉しないように、前記接続された状態にある通信部の無線送受信機の送信電力を低レベルすることを含むものである、付記３３に記載のプログラム。
（付記３６）  前記モニタするステップは、前記別の通信部の現在のまたは短時間内に見込まれる接続に関する状態を前記反復的な所定のタイミングでモニタすることを含むものである、付記３３に記載のプログラム。
（付記３７）  前記モニタするステップは、前記別の通信部の送受信機の受信信号品質を前記反復的な所定のタイミングでモニタするものである、付記３３に記載のプログラム。
（付記３８）  前記プロセッサに、
前記接続された状態にある通信部の無線送受信機の送信条件を調整するときに、前記接続された状態にある通信部を介して前記情報処理装置と通信している別の情報処理装置に、この別の情報処理装置の通信部の無線送受信機の送信条件を調整させるステップをさらに実行させるものである、
付記３３に記載のプログラム。
（付記３９）  前記調整するステップは、前記接続された状態にある通信部の無線送受信機の送信条件を、さらに、前記接続された状態にある通信部と通信している別の情報処理装置の通信部の無線送受信機の受信信号品質に応じて、調整するものである、付記３３に記載のプログラム。
（付記４０）  前記モニタするステップは、さらに前記接続された状態にある通信部の無線送受信機の受信電力をモニタし；前記調整するステップは、前記接続された状態にある通信部の無線送受信機の送信条件を、さらに、前記接続された状態にある通信部の無線送受信機の受信電力と、この通信部を介してデータを転送するために起動されたアプリケーションまたは前記情報処理装置と通信している別の情報処理装置の機器データとに応じて、調整するものである、付記３３に記載のプログラム。
（付記４１）  前記モニタするステップは、さらに前記接続された状態にある通信部の無線送受信機の受信信号品質をモニタし；前記調整するステップは、前記接続された状態にある通信部の無線送受信機の送信条件を、さらに、前記接続された状態にある通信部の無線送受信機の受信信号品質に応じて調整するものである、付記３３に記載のプログラム。
（付記４２）  記憶媒体に格納された情報処理装置用の通信監視制御プログラムであって；前記情報処理装置は、それぞれ無線送受信機を有する第１と第２の通信部と、プロセッサとを具えるものであり；
前記プロセッサに、
前記第１の通信部が接続された状態にあるときに、前記第１と第２の通信部の通信状態を反復的な所定のタイミングでモニタするステップと、
前記第１と第２の通信部の通信状態と、前記第１の通信部の接続に関連する起動されたアプリケーション、または前記情報処理装置と通信している別の情報処理装置の機器データとに応じて、前記第１の通信部の無線送受信機の送信条件を調整するステップと、を実行させるものである、
プログラム。
（付記４３）  前記調整するステップは、前記第２の通信部に対する接続要求が存在するときまたは前記第２の通信部が接続された状態にあるときに、前記第１の通信部の無線送受信機からの送信ＲＦ信号が前記第２の通信部の無線送受信機のＲＦ信号受信に実質的に干渉しないように、前記第１の通信部の無線送受信機の送信電力を低レベルにすることを含むものである、付記４２に記載のプログラム。
（付記４４）  前記調整するステップは、前記第２の通信部の無線送受信機の受信信号品質が許容レベルより低いときに、前記第１の通信部の無線送受信機からの送信ＲＦ信号が前記第２の通信部の無線送受信機のＲＦ信号受信に実質的に干渉しないように、前記第１の通信部の無線送受信機の送信電力を低レベルにすることを含むものである、付記４２に記載のプログラム。
（付記４５）  前記機器データは、前記別の情報処理装置の通信部の無線送受信機から前記第１の通信部の無線送受信機にＲＦ信号で送信されて前記第１の通信部から前記プロセッサに供給されたものである、付記４２に記載のプログラム。
（付記４６）  前記プロセッサに、前記第２の通信部が接続された状態にあるときに、前記第１と第２の通信部の通信状態を反復的な所定のタイミングでモニタするステップと、前記第１と第２の通信部の通信状態と、前記第２の通信部の接続に関連する起動されたアプリケーションまたは前記別の情報処理装置の機器データとに応じて前記第２の通信部の無線送受信機の送信条件を調整するステップと、をさらに実行させるものである、付記４２に記載のプログラム。
（付記４７）  前記第１の通信部の通信状態が、前記第１の通信部の無線送受信機の送信電力および／または受信ＲＦ信号状態である、付記４２に記載のプログラム。
（付記４８）  前記第１の通信部の通信状態が、前記第１の通信部の無線送受信機からの送信信号の前記別の情報処理装置の通信部の無線送受信機における受信ＲＦ信号状態である、付記４２に記載のプログラム。
（付記４９）  前記プロセッサに、
前記第１の通信部の無線送受信機の送信条件を調整するときに、前記別の情報処理装置に、前記第１の通信部と通信している前記別の情報処理装置の通信部の無線送受信機の送信条件を調整させるステップをさらに実行させるものである、付記４２に記載のプログラム。
（付記５０）  前記第１の通信部はブルートゥース規格または無線ＬＡＮ規格に従って通信手順を実行し、前記第２の通信部は移動体通信網移動局規格、無線ＬＡＮ規格またはブルートゥース規格に従って通信手順を実行するものである、付記４０に記載のプログラム。
（付記５１）  記憶媒体に格納された情報処理装置用の通信監視制御プログラムであって；前記情報処理装置は、無線送受信機を有する少なくとも１つの通信部と、プロセッサとを具えるものであり；
前記プロセッサに、
前記１つの通信部が接続されるときまたは接続された状態にあるときに、前記１つの通信部の接続に関連する起動されたアプリケーション、または前記１つの通信部を介して前記情報処理装置と通信している別の情報処理装置の機器データに応じて、前記１つの通信部の無線送受信機の送信条件を調整するステップを実行させるものである、
プログラム。
（付記５２）  前記プロセッサに、
前記１つの通信部の無線送受信機の送信条件を調整するときに、前記別の情報処理装置に、この別の情報処理装置の通信部の無線送受信機の送信条件を調整させるステップをさらに実行させるものである、
付記４９に記載のプログラム。
（付記５３）  記憶媒体に格納された情報処理装置用の通信監視制御プログラムであって；前記情報処理装置は、無線送受信機を有する少なくとも１つの通信部と、プロセッサとを具えるものであり；
前記プロセッサに、
前記１つの通信部が接続された状態にあるときに、前記１つの通信部の通信状態を反復的な所定のタイミングでモニタするステップと、
前記モニタした通信状態と、前記１つの通信部の接続に関連する起動されたアプリケーション、または前記情報処理装置と通信している別の情報処理装置の機器データとに応じて、前記１つの通信部の無線送受信機の送信条件を調整するステップと、を実行させるものである、
プログラム。
（付記５４）  前記１つの通信部の通信状態が、前記１つの通信部の無線送受信機の送信電力および／または受信ＲＦ信号状態である、付記５１に記載のプログラム。
（付記５５）  前記プロセッサに、
前記１つの通信部の無線送受信機の送信条件を調整するときに、前記別の情報処理装置に、この別の情報処理装置の通信部の無線送受信機の送信条件を調整させるステップをさらに実行させるものである、
付記５４に記載のプログラム
（付記５６）  前記１つの通信部の通信状態が、前記１つの通信部の無線送受信機からの送信信号の前記別の情報処理装置における受信ＲＦ信号状態である、付記５４に記載のプログラム。
（付記５７）  前記機器データが前記別の情報処理装置の通信部の無線送受信機から前記１つの通信部の無線送受信機にＲＦ信号で送信されて前記１つの通信部から前記監視制御機能に供給されたものである、付記５４に記載のプログラム。
（付記５８）  前記通信部はブルートゥース規格または無線ＬＡＮ規格に従って通信手順を実行するものである、付記５４に記載のプログラム。
（付記５９）  前記送信条件が送信電力、送信増幅利得、減衰器減衰量、アンテナ利得またはアンテナの向きである、付記５４に記載のプログラム。
【図面の簡単な説明】
【図１】図１は、本発明の一実施形態におけるそれぞれ相異なる無線通信機能を有する複数の情報処理装置の配置の外観を示している。
【図２Ａ】図２Ａは、無線通信部の構成を示すブロック図である。
【図２Ｂ】図２Ｂは、無線通信機能を有するＰＣにおける信号処理部と無線通信部の通常の接続関係を示している。
【図３】図３は、本発明の第１の実施形態の回路ブロック図である。
【図４Ａ】図４Ａは、本発明の第１の実施形態におけるＰＣとＰＤＡの間の通信手順を表すフローチャートを示している。
【図４Ｂ】図４Ｂは、図４Ａのフローチャートにおけるステップ３１０の詳細なフローチャートを示している。
【図４Ｃ】図４Ｃは、図４Ｂのフローチャートにおけるステップ３２０の代替構成のステップ３３０および３３１を示している。
【図５】図５は、第１の実施形態において、ＰＤＡから送信手順を開始する場合の付加的フローチャートを示している。
【図６】図６は、第１の実施形態において、ＰＤＡの通信部の送信条件を調整する別の付加的フローチャートを示している。
【図７】図７（Ａ）〜７（Ｄ）は、信号処理部によって送信電力およびアンテナを調整する場合の信号の流れを示している。
【図８】図８は、本発明の別の実施形態における機能ブロック図である。
【図９Ａ】図９Ａは、本発明の別の実施形態におけるＰＣとＰＤＡの間の通信手順を表すフローチャートを示している。
【図９Ｂ】図９Ｂは、図９Ａのフローチャートにおけるステップ７２０の代替構成のステップ７３０および７３１を示している。
【図９Ｃ】図９Ｃおよび９Ｄは、それぞれ図９Ａのフローチャートにおけるステップ７２２および７２３の代替構成の部分フロー図を示している。
【図１０】図１０は、本発明のさらに別の実施形態における機能ブロック図である。
【符号の説明】
１０  第１の情報処理装置（ＰＣ）
１１  信号処理部
１２  近距離無線通信部
１３  無線通信部
２０  第２の情報処理装置（ＰＤＡ）
２１  信号処理部
２２  近距離無線通信部
３０  第３の情報処理装置（ＡＰ）
３２  無線通信部
【図１】
0003681377.tif 000002
【図２Ａ】
0003681377.tif 000003
【図２Ｂ】
0003681377.tif 000004
【図３】
0003681377.tif 000005
【図４Ａ】
0003681377.tif 000006
【図４Ｂ】
0003681377.tif 000007
【図４Ｃ】
0003681377.tif 000008
【図５】
0003681377.tif 000009
【図６】
0003681377.tif 000010
【図７】
0003681377.tif 000011
【図８】
0003681377.tif 000012
【図９Ａ】
0003681377.tif 000013
【図９Ｂ】
0003681377.tif 000014
【図９Ｃ】
0003681377.tif 000015
【図１０】
0003681377.tif 000016